【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
所定の空間に存在する物体を検出する検出手段と、
前記検出手段が検出した物体の形状情報を取得する取得手段と、
前記検出手段が検出した物体に、該物体の表面に載せられる候補画像を投影させる投影制御手段と、
前記候補画像を、前記物体の形状情報に応じた状態で所定の印刷装置に印刷させるための印刷設定情報を決定する決定手段と、
を備えることを特徴とする情報処理装置。
【請求項２】
前記投影されている候補画像を変形させる指示を認識する認識手段をさらに備え、
前記決定手段は、前記認識手段が認識した指示によって変形された候補画像、及び前記物体の形状情報とに基づいて、前記候補画像を所定の印刷装置に印刷させるための前記印刷設定情報を決定することを特徴とする請求項１に記載の情報処理装置。
【請求項３】
前記認識手段は、前記物体に投影された画像を変形させる指示として、ユーザが行うジェスチャ操作を認識することを特徴とする請求項２に記載の情報処理装置。
【請求項４】
前記検出手段が検出する物体は、前記候補画像が印刷された印刷物が貼付される物体であることを特徴とする請求項１乃至３のいずれか１項に記載の情報処理装置。
【請求項５】
さらに、前記印刷設定情報を前記所定の印刷装置へ出力する出力手段を備えることを特徴とする請求項１乃至４のいずれか１項に記載の情報処理装置。
【請求項６】
前記投影制御手段は、前記検出手段が検出した物体に投影させる画像に、前記認識手段が認識した指示による変形を反映することを特徴とする請求項２又は３に記載の情報処理装置。
【請求項７】
前記投影制御手段は、
前記所定の印刷装置において、前記印刷設定情報に従って印刷された印刷物を貼付する前記物体上の位置を示す画像をさらに投影することを特徴とする請求項１乃至６のいずれか１項に記載の情報処理装置。
【請求項８】
前記所定の空間内を撮像する撮像手段を更に備え、
前記投影制御手段は、
前記撮像手段が、前記決定手段が前記印刷設定情報を決定したときの、前記物体及び前記物体に投影された画像を撮像した画像を、
前記検出手段が検出した前記物体に投影させることで、前記印刷物を貼付する前記物体上の位置を示すことを特徴とする請求項７に記載の情報処理装置。
【請求項９】
前記撮像手段が、異なる複数の物体のそれぞれが前記所定の空間に存在し、かつ、該物体に基づいて前記決定手段が前記印刷設定情報を決定した状況で、該物体及び該物体に投影された画像を撮像した複数の第１の画像と、
前記撮像手段が、前記異なる複数の物体のそれぞれが前記所定の空間に存在し、かつ、該物体に画像が投影されていない状況で、該物体を撮像した複数の第２の画像とを対応付けて記憶部に記憶する対応付け手段と、
前記記憶部に記憶された複数の第２の画像のうち、前記撮像手段が新たに撮像した前記所定の空間内に存在する物体の画像である第３の画像と類似する第２の画像を特定する特定手段とを更に備え、
前記投影制御手段は、前記複数の第１の画像のうち、前記特定手段に特定された第２の画像に対応付けて記憶されている第１の画像を、前記所定の空間内に存在する物体に投影させることを特徴とする請求項８に記載の情報処理装置。
【請求項１０】
前記対応付け手段はさらに、前記第１の画像のそれぞれと、該第１の画像が撮影された時に前記物体に投影されている前記候補画像とを対応付けて前記記憶部に記憶し、
前記特定手段は、前記記憶部に記憶された複数の前記第１の画像のいずれかに対応づけられた前記候補画像のうち、前記撮像手段が新たに撮像した画像に写る前記所定の空間内に存在する印刷物と類似する候補画像を特定し、
前記投影制御手段は、前記特定手段に特定された前記候補画像に対応付けて記憶されている第１の画像を、前記物体に投影させることを特徴とする請求項９に記載の情報処理装置。
【請求項１１】
異なる複数の物体のそれぞれが前記所定の空間に存在し、かつ、該物体に基づいて前記決定手段が前記印刷設定情報を決定した状況で、
該物体に投影されている前記候補画像と、前記撮像手段が該物体及び該物体に投影された前記候補画像とを撮像した第１の画像とを対応付けて記憶部に記憶する対応付け手段と、
前記記憶部に記憶された前記候補画像のうち、前記撮像手段が新たに撮像した画像に写る前記所定の空間内に存在する印刷物と類似する候補画像を特定する特定手段とを更に備え、
前記投影制御手段は、前記特定手段に特定された候補画像に対応付けて記憶されている第１の画像を、前記物体に投影させることを特徴とする請求項８に記載の情報処理装置。
【請求項１２】
前記対応付け手段はさらに、前記第１の画像と、
前記撮像手段が、前記異なる複数の物体のそれぞれが前記所定の空間に存在し、かつ、該物体に画像が投影されていない状況で、該物体を撮像した複数の第２の画像とを対応付けて前記記憶部に記憶し、
前記特定手段は、前記記憶部に記憶された複数の第２の画像のうち、前記撮像手段が新たに撮像した前記所定の空間内に存在する物体の画像と類似する第２の画像を特定し、
前記投影制御手段は、前記特定手段に特定された第２の画像に対応付けて記憶されている第１の画像を、前記物体に投影させることを特徴とする請求項１１に記載の情報処理装置。
【請求項１３】
前記所定の印刷装置は、前記物体の表面に候補画像を印刷することを特徴とする請求項１乃至６のいずれか１項に記載の情報処理装置。
【請求項１４】
コンピュータに読み込ませ実行させることで、前記コンピュータを請求項１乃至１３のいずれか１項に記載の情報処理装置として機能させるためのプログラム。
【請求項１５】
請求項１４に記載されたプログラムを記憶したコンピュータが読み取り可能な記憶媒体。
【請求項１６】
検出手段により、所定の空間に存在する物体を検出する検出工程と、
取得手段により、前記検出工程で検出した物体の形状情報を取得する取得工程と、
投影制御手段により、前記検出工程で検出した物体に、該物体の表面に乗せられる候補画像を投影させる投影制御工程と、
決定手段により、前記候補画像を、前記物体の形状情報に応じた状態で所定の印刷装置に印刷させるための印刷設定情報を決定する決定工程と、
を備えることを特徴とする情報処理装置の制御方法。
【請求項１７】
認識手段により、前記投影されている候補画像を変形させる指示を認識する認識工程をさらに備え、
前記決定工程では、前記認識工程で認識した指示によって変形された候補画像、及び前記物体の形状情報とに基づいて、前記候補画像を所定の印刷装置に印刷させるための前記印刷設定情報を決定することを特徴とする請求項１６に記載の情報処理装置の制御方法。
【請求項１８】
前記認識工程では、前記物体に投影された画像を変形させる指示として、ユーザが行うジェスチャ操作を認識することを特徴とする請求項１７に記載の情報処理装置の制御方法。
【請求項１９】
前記検出工程で検出する物体は、前記候補画像が印刷された印刷物が貼付される物体であることを特徴とする請求項１６乃至１８のいずれか１項に記載の情報処理装置の制御方法。
【請求項２０】
さらに、前記印刷設定情報を所定の印刷装置へ出力する出力工程を有することを特徴とする請求項１６乃至１９のいずれか１項に記載の情報処理装置の制御方法。
【手続補正２】
【補正対象書類名】明細書
【補正対象項目名】０００７
【補正方法】変更
【補正の内容】
【０００７】
上記課題を解決するために、本発明に係る情報処理装置は、所定の空間に存在する物体を検出する検出手段と、前記検出手段が検出した物体の形状情報を取得する取得手段と、前記検出手段が検出した物体に、該物体の表面に載せられる候補画像を投影させる投影制御手段と、前記候補画像を、前記物体の形状情報に応じた状態で所定の印刷装置に印刷させるための印刷設定情報を決定する決定手段と、を備えることを特徴とする。